【事件の表示】
　特願２０１５−　１６０７３「遊技機」拒絶査定不服審判事件〔平成２８年　８月　８日出願公開、特開２０１６−１４０３７９〕について、次のとおり審決する。
【結　論】
　本件審判の請求は、成り立たない。
【理　由】
第１　手続の経緯
　本願は、平成２７年１月２９日の出願であって、平成２８年１２月７日付けで拒絶の理由が通知され、平成２９年２月１０日に意見書及び手続補正書が提出されたところ、平成２９年３月２４日付け（発送日：平成２９年４月４日）で拒絶査定がなされ、それに対して、平成２９年７月３日に拒絶査定不服審判の請求がなされると同時に手続補正がなされたものである。
第２　平成２９年７月３日付けの手続補正についての補正却下の決定
［補正却下の決定の結論］
　平成２９年７月３日付けの手続補正（以下「本件補正」という。）を却下する。
［理由］
１　本件補正の概要
　本件補正は、特許請求の範囲の請求項１を補正する内容を含んでおり、本件補正により、特許請求の範囲の請求項１は、平成２９年２月１０日付けの手続補正書における、
「【請求項１】
　可変表示を行い、遊技者にとって有利な有利状態に制御可能な遊技機であって、
　可変表示に関する情報を保留情報として記憶可能な保留記憶手段と、
　可変表示に対応した画像を表示可能な表示手段とを備え、
　前記表示手段は、可変表示に対応した画像を共通態様により表示した後に、期待度に応じて、第１画像を表示することにより第１可変表示に対する第１演出、または第２画像を表示することにより第２可変表示に対する第２演出を実行可能であることを特徴とする遊技機。」
から、平成２９年７月３日付けの手続補正書における、
「【請求項１】
Ａ　可変表示を行い、遊技者にとって有利な有利状態に制御可能な遊技機であって、
Ｂ　可変表示に関する情報を保留情報として記憶可能な保留記憶手段と、
Ｃ　可変表示に対応した画像を表示可能な表示手段とを備え、
Ｄ　前記表示手段は、可変表示に対応した画像を
複数回の可変表示に亘って
を第１動作態様で動作させる
前記第１画像とは異なる
前記第１動作態様とは異なる第２動作態様で動作させる
行す
に補正された（下線部は補正箇所を示す。また、Ａ〜Ｄは、分説するために当審にて付した。）。
２　補正の適否
　本件補正は、補正前の請求項１に記載した発明を特定するために必要な事項である「可変表示に対応した画像を共通態様により表示した後に」に関して、共通態様による表示を「複数回の可変表示に亘って」すると限定し、補正前の請求項１に記載した発明を特定するために必要な事項である「第１画像を表示することにより第１可変表示に対する第１演出」に関して、第１画像の表示を「第１動作態様で動作させる」ものに限定し、補正前の請求項１に記載した発明を特定するために必要な事項である「第２画像を表示することにより第２可変表示に対する第２演出」に関して、第２画像を「前記第１画像とは異なる」ものに限定するとともに、第２画像の表示を「前記第１動作態様とは異なる第２動作態様で動作させる」ものに限定し、補正前の請求項１に記載した発明を特定するために必要な事項である「実行可能であること」を「実行すること」に限定したものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
　原査定の拒絶の理由に引用文献１として引用され、本願の出願前に頒布された刊行物である特開２０１４−２３６８１４号公報（以下「刊行物１」という。）には、図面とともに以下の事項が記載されている（下線は当審で付した。以下同じ。）。  
（１−ａ）　「【００１２】
　以下、適宜図面を参照しつつ、本発明の一実施形態に係るパチンコ遊技機１ついて説明する。なお、以下では、
パチンコ遊技機１
（１−ｂ）　「【００６４】
　ここで、本実施形態における遊技機１の遊技状態について説明する。遊技機１の遊技状態としては、通常状態と、電サポ状態と、確変状態と、大当り遊技状態とが少なくとも存在する。通常状態とは、基本となる通常の遊技状態であり、特別図柄抽選の当選確率が通常の低確率（１／３００：高確率は１／３０）に設定され、又、電動チューリップ２７が開放状態になり難い設定にされた遊技状態である。電サポ状態とは、典型的には、通常状態に対して、普通図柄抽選（電動チューリップ２７の開放抽選）の実行時間が短縮され、普通図柄抽選の当選確率が上がり、普通図柄抽選に当選した場合に電動チューリップ２７が長時間開放されるように制御されることによって、電動チューリップ２７が頻繁に長時間開放されて第２始動口２２に遊技球が頻繁に入賞する遊技状態である。つまり、電サポ状態は、通常状態よりも電動チューリップ２７が開放状態になり易く設定された遊技状態である。確変状態は、特別図柄抽選の当選確率が高確率（１／３０：低確率は１／３００）に設定された遊技状態である。なお、電サポ状態と確変状態とが並存する場合もあり、この並存する状態を電サポ確変状態（又は時短確変状態）という。大当り遊技状態とは、
特別図柄抽選に当選して（大当りして）大入賞口２３が開放される大当り遊技（特別遊技）が実行され
（１−ｃ）　「【０１３３】
　ステップＳ１１２において、ＣＰＵ４０１は、ステップＳ１１１の処理で受信した保留増加コマンドに応じて、画像音響制御部５００に指示して、画像表示部６に特別図柄抽選の保留を示す保留画像を追加表示させる保留画像表示処理を行う。以下、具体的に説明する。まず、ＣＰＵ４０１は、ステップＳ１１１の処理で、第１保留数増加コマンドを受信した場合、
ＲＡＭ４０３に、第１特別図柄抽選の保留を示すデータ（保留データ）を時系列順で１つ累積記憶させ
音響制御部５００に指示して画像表示部６にこの保留データに対応する第１特別図柄抽選の保留を示す保留画像（図１６等参照）を１つ追加表示させ、一方、ＲＡＭ４０３に第２特別図柄抽選の保留を示す保留データを累積記憶させた場合、画像音響制御部５００に指示して画像表示部６にこの保留データに対応する第２特別図柄抽選の保留を示す保留画像を１つ追加表示させる。なお、この画像音響制御部５００への指示は、コマンドをＲＡＭ４０３にセットすることで行われる。その後、処理はステップＳ１１３に移る。」
（１−ｄ）　「【０１５４】
　まず、ステップＳ１１３１において、演出制御部４００のＣＰＵ４０１は、直近の図１１のステップＳ１１２の処理でＲＡＭ４０３に記憶された事前判定情報に基づいて、図２０〜図２２を用いて後述する保留画像変化示唆演出を実行するか否かを抽選等によって判定する。例えば、ＣＰＵ４０１は、事前判定情報に含まれる大当りか否かの情報を毎回考慮することで、
保留画像変化示唆演出を１００００回実行した場合に結果として３００回大当りする計算となる抽選方法によって（つまり、保留画像変化示唆演出の大当り信頼度が３％になる抽選によって）、保留画像変化示唆演出を実行するか否かを判定する。
【０１５５】
　ステップＳ１１３２において、
ＣＰＵ４０１は、保留画像変化示唆演出の実行タイミングを設定する。具体的には、ＣＰＵ４０１は、何れの報知演出で保留画像変化示唆演出を実行するのかを設定する。
（１−ｅ）　「【０１６５】
　図１４のステップＳ１１４２において、ＣＰＵ４０１は、直近の図１１のステップＳ１１２の処理でＲＡＭ４０３に記憶された事前判定情報に基づいて、図２３を用いて後述する変動権利画像変化示唆演出を実行するか否かを抽選等によって決定する。例えば、ＣＰＵ４０１は、事前判定情報に含まれる大当りか否かの情報を毎回考慮することで、
変動権利画像変化示唆演出を１００００回実行した場合に結果として１００回大当りする計算となる抽選方法によって（つまり、変動権利画像変化示唆演出の大当り信頼度が１％になる抽選によって）、変動権利画像変化示唆演出を実行するか否かを決定する。
（１−ｆ）　「【０１７５】
　まず、本実施形態による特徴的動作の具体的な説明の前に、図１６を用いて、パチンコ遊技機１において行われる装飾図柄の変動表示、保留画像の表示、および変動権利画像の表示の概要について説明する。図１６は、
特別図柄抽選が行われてその結果を報知するために装飾図柄ＤＩが変動表示される
特別図柄抽選として第１特別図柄抽選が行われ、
【０１７６】
　まず、図１６（１）に示すように、
画像表示部６の表示画面（以下、単に、画像表示部６という）には、装飾図柄ＤＩ（ＤＩ１〜ＤＩ３）、保留画像ＲＩ（ＲＩ１〜ＲＩ４）、変動権利画像ＫＩ、ステージＳＴ（ＳＴ０〜ＳＴ４）が表示される。
【０１７７】
　特別図柄の変動表示が表示器４により開始すると（つまり、報知演出が開始されると）、左右中装飾図柄ＤＩ１〜ＤＩ３が変動表示される。そして、特別図柄の変動表示が開始されてから所定時間が経過すると、図１６（１）に示すように、左装飾図柄ＤＩ１として、例えば数字「１」が描かれた図柄が仮停止する。さらに所定時間経過すると、図１６（２）に示すように、右装飾図柄ＤＩ２として、例えば数字「６」が描かれた図柄が仮停止する。さらに所定時間が経過すると、中装飾図柄ＤＩ３として、例えば数字「２」が描かれた図柄が仮停止した後、図１６（３）に示すように、３つの装飾図柄ＤＩ１〜ＤＩ３が完全に停止する（確定停止表示する）。このタイミングで、今回の特別図柄の変動表示が終了して（つまり、今回の報知演出が終了して）、第１特別図柄抽選の結果が遊技者に報知される。具体的には、
装飾図柄ＤＩが、当り目となる特定の図柄（典型的にはゾロ目「７７７」等）で揃うことで第１特別図柄抽選の結果が大当りであることが報知され、
【０１７８】
　
保留画像ＲＩは、遊技者に第１特別図柄抽選が保留されている数を示すための画像である。
【０１７９】
　
変動権利画像ＫＩは、特別図柄の変動表示の実行権利が行使されて変動表示（装飾図柄ＤＩによる変動表示（報知演出）と考えてもよい）が行われていることを示すための画像である。
・・・
【０１８１】
　
ステージＳＴ１〜ＳＴ４にそれぞれ表示された保留画像ＲＩは、第１特別図柄抽選が終了するごとに、順次表示位置を変更する
装飾図柄ＤＩの変動表示（報知演出）において、この変動表示に対応する変動権利画像ＫＩがステージＳＴ０上に表示されている。
・・・
【０１８３】
　図１７は、本実施形態における保留画像および変動権利画像の表示態様について説明するための図である。
保留画像および変動権利画像は、図１７（１）に示すように通常表示態様として白色の丸形状の画像で表示され、図１７（２）に示すように先読み予告表示態様として青色、緑色又は赤色の丸形状の画像で表示される。
・・・
【０１８５】
　図１８は、本実施形態において保留画像および変動権利画像の表示態様を変化させるキャラクタの画像について説明するための図である。図１８に示すように、本実施形態において保留画像および変動権利画像の表示態様を変化させるキャラクタの画像（キャラ画像という）として、蜂が星を持った画像が使用される。そして、図１８（１）〜（３）に示すように、
蜂が持つ星の色には、青色、緑色および赤色がある。
・・・
【０１８７】
　図２０〜図２３は、本実施形態において特徴的な保留画像変化示唆演出および変動権利画像変化示唆演出について説明するための図である。以下に、図２０〜図２３を用いて、保留画像変化示唆演出および変動権利画像変化示唆演出について具体的に説明する。なお、図２０〜図２３では、装飾図柄が上から下に変動している様子を矢印で示している。ここで、
保留画像変化示唆演出は、星を持った蜂（キャラ画像：図１８参照）が星（アイテム）を保留画像に投げて星が保留画像に当った場合は保留画像が先読み予告表示態様（図１７（２）参照）に変化するアイテム投げ演出と、星を持った蜂が星を保留画像の上まで運んでから落して必ず当てて保留画像が先読み予告表示態様に必ず変化するアイテム落し演出とのうち、少なくとも一方を実行する演出である。変動権利画像変化示唆演出は、星を持った蜂が星を変動権利画像に投げて星が変動権利画像に当った場合は変動権利画像が予告表示態様（図１７（３）参照）に変化して、擬似連演出の実行を報知する演出である。
　上記（１−ａ）〜（１−ｆ）の記載事項及び図面から、以下（１−ｇ）〜（１−ｉ）の事項が導かれる。
（１−ｇ）刊行物１には、「特別図柄抽選が行われてその結果を報知するために装飾図柄ＤＩが変動表示される・・・特別図柄抽選として第１特別図柄抽選が行われ」（段落【０１７５】）、「装飾図柄ＤＩが、当り目となる特定の図柄（典型的にはゾロ目「７７７」等）で揃うことで第１特別図柄抽選の結果が大当りであることが報知され」（段落【０１７７】）、「特別図柄抽選に当選して（大当りして）大入賞口２３が開放される大当り遊技（特別遊技）が実行され」（段落【００６４】）と記載されているから、刊行物１には、
第１特別図柄抽選の結果を報知するために装飾図柄ＤＩが変動表示され、装飾図柄ＤＩが、当り目となる特定の図柄で揃うと、大入賞口２３が開放される大当り遊技を実行する
（１−ｈ）刊行物１には、「保留画像変化示唆演出を１００００回実行した場合に結果として３００回大当りする計算となる抽選方法によって（つまり、保留画像変化示唆演出の大当り信頼度が３％になる抽選によって）、保留画像変化示唆演出を実行するか否かを判定する。」（段落【０１５４】）、「ＣＰＵ４０１は、保留画像変化示唆演出の実行タイミングを設定する。具体的には、ＣＰＵ４０１は、何れの報知演出で保留画像変化示唆演出を実行するのかを設定する。」（段落【０１５５】）と記載されているから、保留画像変化示唆演出は、抽選によって大当り信頼度が３％になるように、また、設定された実行タイミングで実行されるといえる。
　さらに、刊行物１には、「保留画像変化示唆演出は、星を持った蜂（キャラ画像：図１８参照）が星（アイテム）を保留画像に投げて星が保留画像に当った場合は保留画像が先読み予告表示態様（図１７（２）参照）に変化するアイテム投げ演出と、星を持った蜂が星を保留画像の上まで運んでから落して必ず当てて保留画像が先読み予告表示態様に必ず変化するアイテム落し演出とのうち、少なくとも一方を実行する演出である。」（段落【０１８７】）と記載されており、当該記載の「星」に関して、「蜂が持つ星の色には、青色、緑色および赤色がある。」（段落【０１８５】）と記載されており、また、当該記載の「保留画像」と段落【０１７６】に記載された「保留画像ＲＩ」が同じものを指すことは明らかであるから、刊行物１には、
抽選によって大当り信頼度が３％になるように保留画像変化示唆演出を設定された実行タイミングで実行し、保留画像変化示唆演出は、青色、緑色または赤色の星を持った蜂が星を保留画像ＲＩに投げて星が保留画像ＲＩに当った場合は保留画像ＲＩが先読み予告表示態様に変化するアイテム投げ演出と、青色、緑色または赤色の星を持った蜂が星を保留画像ＲＩの上まで運んでから落して必ず当てて保留画像ＲＩが先読み予告表示態様に必ず変化するアイテム落し演出とのうち、少なくとも一方を実行する演出である
（１−ｉ）刊行物１には、「変動権利画像変化示唆演出を１００００回実行した場合に結果として１００回大当りする計算となる抽選方法によって（つまり、変動権利画像変化示唆演出の大当り信頼度が１％になる抽選によって）、変動権利画像変化示唆演出を実行するか否かを決定する。」（段落【０１６５】）と記載されているから、変動権利画像変化示唆演出は、抽選によって大当り信頼度が１％になるように実行されるといえる。
　さらに、刊行物１には、「変動権利画像変化示唆演出は、星を持った蜂が星を変動権利画像に投げて星が変動権利画像に当った場合は変動権利画像が予告表示態様（図１７（３）参照）に変化して、擬似連演出の実行を報知する演出である。」（段落【０１８７】）と記載されており、当該記載の「星」に関して、「蜂が持つ星の色には、青色、緑色および赤色がある。」（段落【０１８５】）と記載されており、また、当該記載の「変動権利画像」と段落【０１７６】に記載された「変動権利画像ＫＩ」が同じものを指すことは明らかであるから、刊行物１には、
抽選によって大当り信頼度が１％になるように変動権利画像変化示唆演出を実行し、変動権利画像変化示唆演出は、青色、緑色または赤色の星を持った蜂が星を変動権利画像ＫＩに投げて星が変動権利画像ＫＩに当った場合は変動権利画像ＫＩが予告表示態様に変化する演出である
　上記（１−ａ）〜（１−ｆ）の記載事項及び（１−ｇ）〜（１−ｉ）の認定事項を総合すると、刊行物１には、次の発明（以下「刊行物１発明」という。）が記載されていると認められる。（ａ〜ｄは、本願補正発明のＡ〜Ｄに対応させて付した。）
「ａ　第１特別図柄抽選の結果を報知するために装飾図柄ＤＩが変動表示され、装飾図柄ＤＩが、当り目となる特定の図柄で揃うと、大入賞口２３が開放される大当り遊技を実行するパチンコ遊技機１であって、（段落【００１２】、認定事項（１−ｇ））
ｂ　第１特別図柄抽選の保留を示す保留データを記憶するＲＡＭ４０３と、（段落【０１３３】）
ｃ　第１特別図柄抽選が保留されている数を示すための画像である保留画像ＲＩ、及び、特別図柄の変動表示の実行権利が行使されて装飾図柄ＤＩによる変動表示が行われていることを示すための画像である変動権利画像ＫＩを表示する画像表示部６とを備え、（段落【０１７６】、【０１７８】、【０１７９】）
ｄ　ステージＳＴ１〜ＳＴ４にそれぞれ表示された保留画像ＲＩは、白色の丸形状の通常表示態様、または、青色、緑色又は赤色の丸形状の先読み予告表示態様で表示され、第１特別図柄抽選が終了するごとに、順次表示位置を変更し、装飾図柄ＤＩの変動表示に対応する変動権利画像ＫＩがステージＳＴ０上に表示され、（段落【０１８１】、【０１８３】）
　抽選によって大当り信頼度が３％になるように保留画像変化示唆演出を設定された実行タイミングで実行し、保留画像変化示唆演出は、青色、緑色または赤色の星を持った蜂が星を保留画像ＲＩに投げて星が保留画像ＲＩに当った場合は保留画像ＲＩが先読み予告表示態様に変化するアイテム投げ演出と、青色、緑色または赤色の星を持った蜂が星を保留画像ＲＩの上まで運んでから落して必ず当てて保留画像ＲＩが先読み予告表示態様に必ず変化するアイテム落し演出とのうち、少なくとも一方を実行する演出であり、（認定事項（１−ｈ））
　抽選によって大当り信頼度が１％になるように変動権利画像変化示唆演出を実行し、変動権利画像変化示唆演出は、青色、緑色または赤色の星を持った蜂が星を変動権利画像ＫＩに投げて星が変動権利画像ＫＩに当った場合は変動権利画像ＫＩが予告表示態様に変化する演出である、パチンコ遊技機１（段落【００１２】、認定事項（１−ｉ））」
（３）対比、判断
　本願補正発明と刊行物１発明とを対比する（下記の（ａ）〜（ｄ）は、刊行物１発明の構成ａ〜ｄに対応している。）。
（ａ）刊行物１発明の「変動表示」、「大入賞口２３が開放される大当り遊技を実行する」こと、及び「パチンコ遊技機１」は、それぞれ、本願補正発明の「可変表示」、「遊技者にとって有利な有利状態に制御」すること、及び「遊技機」に相当する。
　したがって、刊行物１発明における「第１特別図柄抽選の結果を報知するために装飾図柄ＤＩが変動表示され、装飾図柄ＤＩが、当り目となる特定の図柄で揃うと、大入賞口２３が開放される大当り遊技を実行するパチンコ遊技機１」は、本願補正発明における「可変表示を行い、遊技者にとって有利な有利状態に制御可能な遊技機」に相当する。
（ｂ）刊行物１発明は、「第１特別図柄抽選の結果を報知するために装飾図柄ＤＩが変動表示され」（構成ａ）るものであるから、刊行物１発明の「第１特別図柄抽選の保留を示す保留データ」は、「変動表示」に関する情報であるといえる。また、刊行物１発明の「保留データを記憶するＲＡＭ４０３」は、本願補正発明の「保留記憶手段」に相当する。
　したがって、刊行物１発明における「第１特別図柄抽選の保留を示す保留データを記憶するＲＡＭ４０３」は、本願補正発明における「可変表示に関する情報を保留情報として記憶可能な保留記憶手段」に相当する。
（ｃ）刊行物１発明は、「第１特別図柄抽選の結果を報知するために装飾図柄ＤＩが変動表示され」（構成ａ）るものであるから、「第１特別図柄抽選が終了するごとに、順次表示位置を変更し」（構成ｄ）、「第１特別図柄抽選が保留されている数を示すための画像である保留画像ＲＩ」は、「変動表示」に対応した画像であるといえる。また、刊行物１発明の「変動権利画像ＫＩ」は、「特別図柄の変動表示の実行権利が行使されて装飾図柄ＤＩによる変動表示が行われていることを示すための画像である」から、「変動表示」に対応した画像であるといえる。よって、刊行物１発明の「第１特別図柄抽選が保留されている数を示すための画像である保留画像ＲＩ」、及び、「特別図柄の変動表示の実行権利が行使されて装飾図柄ＤＩによる変動表示が行われていることを示すための画像である変動権利画像ＫＩ」は、共に、本願補正発明の「可変表示に対応した画像」に相当する。また、刊行物１発明の「画像表示部６」は、本願補正発明の「表示手段」に相当する。
　したがって、刊行物１発明における「第１特別図柄抽選が保留されている数を示すための画像である保留画像ＲＩ、及び、特別図柄の変動表示の実行権利が行使されて装飾図柄ＤＩによる変動表示が行われていることを示すための画像である変動権利画像ＫＩを表示する画像表示部６」は、本願補正発明における「可変表示に対応した画像を表示可能な表示手段」に相当する。
（ｄ）刊行物１発明において、「保留画像変化示唆演出」により「先読み予告表示態様に変化」、あるいは、「変動権利画像変化示唆演出」により「予告表示態様に変化」しない場合においては、「第１特別図柄抽選が終了するごとに、順次表示位置を変更し、装飾図柄ＤＩの変動表示に対応する変動権利画像ＫＩがステージＳＴ０上に表示され」る際に、「白色の丸形状の通常表示態様、または、青色、緑色又は赤色の丸形状の先読み予告表示態様で表示され」る「保留画像ＲＩ」及び「変動権利画像ＫＩ」の表示の態様は、変化しないことは、明らかである。よって、刊行物１発明において、「保留画像変化示唆演出」により「先読み予告表示態様に変化」、あるいは、「変動権利画像変化示唆演出」により「予告表示態様に変化」しない場合における「保留画像ＲＩ」及び「変動権利画像ＫＩ」の表示の態様は、本願補正発明の「共通態様」に相当し、また、「複数回の可変表示に渡って」表示されるものといえる。
　よって、刊行物１発明において、「ステージＳＴ１〜ＳＴ４にそれぞれ表示された保留画像ＲＩは、白色の丸形状の通常表示態様、または、青色、緑色又は赤色の丸形状の先読み予告表示態様で表示され、第１特別図柄抽選が終了するごとに、順次表示位置を変更し、装飾図柄ＤＩの変動表示に対応する変動権利画像ＫＩがステージＳＴ０上に表示され」ることは、本願補正発明において、「可変表示に対応した画像を複数回の可変表示に亘って共通態様により表示」することに相当する。また、「保留画像変化示唆演出」及び「変動権利画像変化示唆演出」は、「設定された実行タイミングで実行」されるものであるから、「保留画像ＲＩ」が複数表示されている場合、「順次表示位置を変更」して「保留画像ＲＩ」が表示された後に、「保留画像変化示唆演出」及び「変動権利画像変化示唆演出」が行われる場合があることは、当業者にとって明らかである。よって、刊行物１発明の構成ｃは、本願補正発明における「可変表示に対応した画像を複数回の可変表示に亘って共通態様により表示した後に」演出を行う構成を有しているといえる。
　そして、刊行物１発明の「保留画像変化示唆演出」及び「変動権利画像変化示唆演出」は、それぞれ、「抽選によって大当り信頼度が３％になるように」及び「抽選によって大当り信頼度が１％になるように」実行される演出であるから、共に「期待度に応じて」実行される演出であるといえる。
　刊行物１発明は、「保留画像変化示唆演出を設定された実行タイミングで実行し、保留画像変化示唆演出は、青色、緑色または赤色の星を持った蜂が星を保留画像ＲＩに投げて星が保留画像ＲＩに当った場合は保留画像ＲＩが先読み予告表示態様に変化するアイテム投げ演出と、青色、緑色または赤色の星を持った蜂が星を保留画像ＲＩの上まで運んでから落して必ず当てて保留画像ＲＩが先読み予告表示態様に必ず変化するアイテム落し演出とのうち、少なくとも一方を実行する演出であ」るから、刊行物１発明は、「保留画像変化示唆演出」において、「青色」「の星を持った蜂が星を保留画像ＲＩの上まで運んでから落して必ず当てて保留画像ＲＩが先読み予告表示態様に必ず変化するアイテム落し演出」を実行する場合があるといえる。
　また、刊行物１発明は、「変動権利画像変化示唆演出を実行し、変動権利画像変化示唆演出は、青色、緑色または赤色の星を持った蜂が星を変動権利画像ＫＩに投げて星が変動権利画像ＫＩに当った場合は変動権利画像ＫＩが予告表示態様に変化する演出である」から、「変動権利画像変化示唆演出」において、」「緑色」「の星を持った蜂が星を変動権利画像ＫＩに投げて星が変動権利画像ＫＩに当った場合は変動権利画像ＫＩが予告表示態様に変化する演出」を実行する場合があるといえる。
　そして、刊行物１発明において、「青色」「の星を持った蜂」と「緑色」「の星を持った蜂」とは、異なるものであるから、刊行物１発明において、「青色」「の星を持った蜂」の画像、及び、「緑色」「の星を持った蜂」の画像は、それぞれ、本願補正発明の「第１画像」及び「前記第１画像とは異なる第２画像」に相当する。また、刊行物１発明において、「蜂が星を」「落」す動作態様と、「蜂が星を」「投げ」る動作態様とは、異なるといえるから、刊行物１発明において、「青色」「の星を持った蜂が星を保留画像ＲＩの上まで運んでから落」す動作態様、及び、「緑色」「の星を持った蜂が星を変動権利画像ＫＩに投げ」る動作態様は、それぞれ、本願補正発明の「第１動作態様」及び「前記第１動作態様とは異なる第２動作態様」に相当する。さらに、刊行物１発明において、「保留画像ＲＩ」及び「変動権利画像ＫＩ」は、それぞれ、本願補正発明の「第１可変表示」及び「第２可変表示」に対応する画像に相当する。
　以上より、刊行物１発明における、「保留画像変化示唆演出」で実行される「青色」「の星を持った蜂が星を保留画像ＲＩの上まで運んでから落して必ず当てて保留画像ＲＩが先読み予告表示態様に必ず変化するアイテム落し演出」は、本願補正発明における、「第１画像を第１動作態様で動作させることにより第１可変表示に対する第１演出」に相当し、「変動権利画像変化示唆演出」において実行される「緑色」「の星を持った蜂が星を変動権利画像ＫＩに投げて星が変動権利画像ＫＩに当った場合は変動権利画像ＫＩが予告表示態様に変化する演出」は、本願補正発明における、「前記第１画像とは異なる第２画像を前記第１動作態様とは異なる第２動作態様で動作させることにより第２可変表示に対する第２演出」に相当する。
　したがって、刊行物１発明における「ステージＳＴ１〜ＳＴ４にそれぞれ表示された保留画像ＲＩは、白色の丸形状の通常表示態様、または、青色、緑色又は赤色の丸形状の先読み予告表示態様で表示され、第１特別図柄抽選が終了するごとに、順次表示位置を変更し、装飾図柄ＤＩの変動表示に対応する変動権利画像ＫＩがステージＳＴ０上に表示され」、「抽選によって大当り信頼度が３％になるように保留画像変化示唆演出を設定された実行タイミングで実行し、保留画像変化示唆演出は、青色、緑色または赤色の星を持った蜂が星を保留画像ＲＩに投げて星が保留画像ＲＩに当った場合は保留画像ＲＩが先読み予告表示態様に変化するアイテム投げ演出と、青色、緑色または赤色の星を持った蜂が星を保留画像ＲＩの上まで運んでから落して必ず当てて保留画像ＲＩが先読み予告表示態様に必ず変化するアイテム落し演出とのうち、少なくとも一方を実行する演出であり」、「抽選によって大当り信頼度が１％になるように変動権利画像変化示唆演出を実行し、変動権利画像変化示唆演出は、青色、緑色または赤色の星を持った蜂が星を変動権利画像ＫＩに投げて星が変動権利画像ＫＩに当った場合は変動権利画像ＫＩが予告表示態様に変化する演出であ」って、順次表示位置を変更して保留画像ＲＩが表示された後に、保留画像変化示唆演出及び変動権利画像変化示唆演出が行われる場合がある「パチンコ遊技機１」は、本願補正発明における「前記表示手段は、可変表示に対応した画像を複数回の可変表示に亘って共通態様により表示した後に、期待度に応じて、第１画像を第１動作態様で動作させることにより第１可変表示に対する第１演出、または前記第１画像とは異なる第２画像を前記第１動作態様とは異なる第２動作態様で動作させることにより第２可変表示に対する第２演出を実行することを特徴とする遊技機」に相当する。
　以上、（ａ）〜（ｄ）の対比より、本願補正発明と刊行物１発明とは、
「Ａ　可変表示を行い、遊技者にとって有利な有利状態に制御可能な遊技機であって、
Ｂ　可変表示に関する情報を保留情報として記憶可能な保留記憶手段と、
Ｃ　可変表示に対応した画像を表示可能な表示手段とを備え、
Ｄ　前記表示手段は、可変表示に対応した画像を複数回の可変表示に亘って共通態様により表示した後に、期待度に応じて、第１画像を第１動作態様で動作させることにより第１可変表示に対する第１演出、または前記第１画像とは異なる第２画像を前記第１動作態様とは異なる第２動作態様で動作させることにより第２可変表示に対する第２演出を実行する遊技機。」
である点で一致し、相違点はない。
　したがって、本願補正発明は刊行物１発明と同一であり、刊行物１に記載された発明といえる。
　また、仮に相違点があったとしても、本願補正発明は刊行物１発明から当業者が容易に想到することができたものであるといえる。
（４）請求人の主張について
　請求人は、審判請求書の【請求の理由】、「（３）（ｄ）」において、「まず、「第２画像」を「前記第１画像とは異なる第２画像」と補正したことにより、第１画像と第２画像とが異なることを明確にした。また、「実行可能である」を「実行する」と補正したことにより、第１可変表示には第１画像が対応し、第２可変表示には第２画像が対応することを明確にした。これにより、第１画像と第２画像とがどのように異なることかが特定された。一方、引用文献１に記載された発明において、保留画像、及び変動権利画像に星の画像を投げるのは、いずれも同じ蜂の画像である。 
　また構成（Ｂ）によって、「第１画像を第１動作態様で動作させること」及び「第２画像を前記第１動作態様とは異なる第２動作態様で動作させること」を明確にした。 
　これにより、「第１画像」と「第１動作態様」とが分けて規定され、「第２画像」と「第２動作態様」とが分けて規定された。すなわち、「第１画像」に「第１動作態様」が含まれず、「第２画像」に「第２動作態様」が含まれない。従って、「第１画像」及び「第２画像」が動画像であると考える余地はなく、「第１画像」と「第２画像」とが同じ蜂の画像である引用文献１に本願請求項１の構成（Ｂ）は記載されていない。」との主張をしている。
　しかしながら、上記（３）（ｄ）で示した通り、「青色」「の星を持った蜂」の画像（第１画像）と「緑色」「の星を持った蜂」（第２画像）とは、異なる画像であるから、出願人の上記主張は採用することはできない。
（５）まとめ
　以上のように、本願補正発明は、刊行物１発明と同一の発明であるか、又は、当業者が刊行物１発明に基づいて容易に発明をすることができたものであるから、特許法第２９条第１項第３号又は第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、平成２９年２月１０日付けの手続補正書により補正された特許請求の範囲に記載されたとおりのものであり、その請求項１に係る発明（以下「本願発明」という。）は次のとおりである（Ａ〜Ｄ’は、分説するために当審にて付した。）。
「【請求項１】
Ａ　可変表示を行い、遊技者にとって有利な有利状態に制御可能な遊技機であって、
Ｂ　可変表示に関する情報を保留情報として記憶可能な保留記憶手段と、
Ｃ　可変表示に対応した画像を表示可能な表示手段とを備え、
Ｄ’前記表示手段は、可変表示に対応した画像を共通態様により表示した後に、期待度に応じて、第１画像を表示することにより第１可変表示に対する第１演出、または第２画像を表示することにより第２可変表示に対する第２演出を実行可能であることを特徴とする遊技機。」
２　刊行物
　刊行物１及びその記載事項並びに刊行物１発明は、上記「第２　３（２）」に記載したとおりである。
３　対比・判断
　本願発明は、上記「第２　３（１）」で検討した本願補正発明から、「可変表示に対応した画像を複数回の可変表示に亘って共通態様により表示した後に」に関して、共通態様による表示を「複数回の可変表示に亘って」するとの限定事項を省き、「第１画像を第１動作態様で動作させることにより第１可変表示に対する第１演出」に関して、「第１動作態様で動作させる」との限定事項を実質的に省き、当該事項を含む上位概念である「表示する」とし、「前記第１画像とは異なる第２画像を前記第１動作態様とは異なる第２動作態様で動作させる」に関して、第２画像が「前記第１画像とは異なる」との限定事項を省くとともに、第２画像を「前記第１動作態様とは異なる第２動作態様で動作させる」との限定事項を実質的に省き、当該事項を含む上位概念である「表示する」とし、さらに、「実行すること」との限定事項を実質的に省き、当該事項を含む上位概念である「実行可能であること」としたものである。
　そうすると、本願補正発明の発明特定事項を全て包含し、さらに他の限定事項を付加したものである本件補正発明が、上記「第２　３（３）」で検討したとおり、刊行物１発明と同一の発明であるか、又は、当業者が刊行物１発明に基づいて容易に発明をすることができたものであるから、本願発明も、刊行物１発明と同一の発明であるか、又は、当業者が刊行物１発明に基づいて容易に発明をすることができたものである。
４　むすび
　以上のとおりであるから、本願発明は、特許法第２９条第１項第３号又は第２項の規定により特許を受けることができない。
　したがって、本願は、拒絶されるべきものである。
　よって、結論のとおり審決する。